(57)【要約】【課題】衝撃等の外力が作用した場合にもＲＦＩＤインレットを保護できると共に、該ＲＦＩＤインレットが故障した場合における交換コストを抑制できるＲＦＩＤタグを提案する。【解決手段】ＩＣチップ３とアンテナ４とを備えたＲＦＩＤインレット２を、スペーサ１１と該スペーサ１１に着脱可能に被着する蓋体１２とからなる非金属製のインレット保護体１０内に配設してなるＲＦＩＤタグ１である。比較的強い衝撃が作用した場合にも、インレット保護体１０によりＲＦＩＤインレット２を保護することができるため、該ＲＦＩＤインレット２の故障や損傷を防ぐ効果が高い。さらに、ＲＦＩＤインレット２を樹脂等により被覆して保護することを要しないため、ＲＦＩＤインレット２を交換する際に、その交換に要するコストを抑制することができ得る。【選択図】図３
0003141971.tif 000002
【実用新案登録請求の範囲】
【請求項１】
データを格納するメモリを具備したＩＣチップと、該ＩＣチップに接続されたアンテナとを備え、前記データを所定の入出力装置と非接触で送受信する機能を備えたＲＦＩＤインレットと、
被取付物に取り付けられる据付底面を備えたスペーサと、該スペーサの上部に被着される着脱可能な蓋体とを具備し、スペーサと蓋体との間に前記ＲＦＩＤインレットを配設する非金属製のインレット保持体と
を備えてなるものであることを特徴とするＲＦＩＤタグ。
【請求項２】
インレット保持体が、その蓋体をスペーサに被着した状態で両者の間に内部空域を形成し、該内部空域内にＲＦＩＤインレットを収納保持するようにしたものであることを特徴とする請求項１に記載のＲＦＩＤタグ。
【請求項３】
インレット保持体のスペーサが、上方開口する開口部を有するケース体により構成されていると共に、蓋体が、前記ケース体の開口部を開閉するものであることを特徴とする請求項１又は請求項２に記載のＲＦＩＤタグ。
【請求項４】
インレット保持体は、
そのスペーサを構成するケース体が、据付底面を有するケース底部を備え、且つ該ケース底部上に開口部を設けてなり、
蓋体が、ケース体の開口部を閉鎖した状態で内部空域を介して前記ケース底部と対向する内面に、ＲＦＩＤインレットを貼付してなるものである請求項３に記載のＲＦＩＤタグ。
【請求項５】
インレット保持体のスペーサの、蓋体により覆われる被覆面に、ＲＦＩＤインレットのＩＣチップに格納されたデータに関する情報を記載した情報ラベルが貼付されているものである請求項１乃至請求項４のいずれか１項に記載のＲＦＩＤタグ。
【考案の詳細な説明】
【技術分野】
【０００１】
本考案は、コンテナなどに取り付けられるＲＦＩＤタグに関する。
【背景技術】
【０００２】
ＲＦＩＤ（Radio Frequency Identification）システムで用いられる非接触型ＩＣタグ等のＲＦＩＤタグは、ＩＣチップとアンテナとを備えてなり、入出力装置（リーダ・ライタ）との間で電磁波を利用して非接触でコマンド，データ等の信号を送受信し得る機能を備えたものである。このＲＦＩＤタグには、電池を備えたタイプと電池レスタイプとがあり、電池レスタイプの場合、ＲＦＩＤタグが、入出力装置側のアンテナが放射する有効電磁波ゾーンに進入すると、該ＲＦＩＤタグのアンテナが誘導起電力を生成し、該電力により動作状態となって入出力装置からのコマンド，データ等の信号を検出するとともに、そのコマンド信号に従ってＩＣチップに設けられたデータの読み書きが可能なメモリに受信データを格納したり、メモリに格納されているデータを入出力装置に送信する。そして、ＲＦＩＤタグは、小型で携帯性に優れているため、近年、交通・レジャー分野，物流分野，セキュリティー分野，工場生産分野，環境分野，その他の幅広い分野で導入が進められている。
【０００３】
このようなＲＦＩＤタグにあって、ＩＣチップとアンテナとを、非金属製のスペーサ上に配設する構成が良く知られている。例えば、特許文献１のように、金属製の被取付物に取り付けられるものとして、ＩＣチップとアンテナとを、軟磁性材およびスペーサとを積層した上に配設する構成が提案されている。これは、ＩＣチップおよびアンテナと、被取付物との間に介在したスペーサと軟磁性材とにより、被取付物の金属による電波干渉を抑制することができる。また、例えば特許文献２には、スペーサの上面にＩＣチップとアンテナとを配設し、該スペーサの下面に金属製電波反射部材を配設するようにした構成が提案されている。この構成では、金属製電波反射部材を設けることにより、入出力装置からの電波を反射して、該入出力装置との交信距離を延長することができると共に、非金属製のスペーサによって、前記と同様に、金属製電波反射部材による電波干渉を抑制するようにしている。
【特許文献１】特開２００５−３０９８１１号公報
【特許文献２】特許第３９７３８９８号公報
【考案の開示】
【考案が解決しようとする課題】
【０００４】
ところで、ＲＦＩＤタグは、ＩＣチップとアンテナを保護するために、樹脂等を印刷またはコーディングして被覆した構成のものもあり、外部からの衝撃等によって壊れ難くしている。さらに、耐衝撃性を高めるために、複数の樹脂層を重ね合わせるように形成することにより、所定の剛性を有する薄板状の形態とした構成もある。例えば、上述した特許文献２の場合には、ＩＣチップとアンテナとを樹脂製のシート上に配設して、その表裏から複数の樹脂層を重ね合わせるようにコーティングしてなる薄板状の構成のものが好適に用いられると推察され、これを被取付物に取り付けられたホルダーに挿入するようにした構成となっている。一方、上述した特許文献１のように、ＩＣチップとアンテナとをスペーサ上に配設した場合には、該ＩＣチップとアンテナとスペーサとを樹脂で被覆して一体化した構成もある。このように薄板状の形態とした構成や、スペーサと一体化した構成などの場合、ＩＣチップやアンテナが壊れたり故障すると、これらの構成全体を交換しなければならない。そのため、故障や損傷した場合におけるコストが高くなるという問題を有している。
【０００５】
また、上記した特許文献１にあっては、スペーサ上にＩＣチップやアンテナが貼り付けられた構成が開示されているだけで、該ＩＣチップやアンテナを樹脂等により被覆する構成については記載されていない。このように樹脂等により保護されていない構成では、故障した際に、ＩＣチップやアンテナ（および、これらを担持するシート）を交換するだけでよいことから、交換コストを抑制することができる。しかし、この構成は、外部からの衝撃によって比較的容易に壊れてしまうという問題がある。
【０００６】
本考案は、外部から衝撃等を受けた場合にもＩＣチップやアンテナを保護することができると共に、該ＩＣチップやアンテナが故障や損傷した際に比較的容易に対処することができるＲＦＩＤタグを提供することを目的とするものである。
【課題を解決するための手段】
【０００７】
本考案は、データを格納するメモリを具備したＩＣチップと、該ＩＣチップに接続されたアンテナとを備え、前記データを所定の入出力装置と非接触で送受信する機能を備えたＲＦＩＤインレットと、被取付物に取り付けられる据付底面を備えたスペーサと、該スペーサの上部に被着される着脱可能な蓋体とを具備し、スペーサと蓋体との間に前記ＲＦＩＤインレットを配設する非金属製のインレット保持体とを備えてなるものであることを特徴とするＲＦＩＤタグである。ここで、ＲＦＩＤインレットとしては、非金属製のシート上に、ＩＣチップとアンテナとを担持してなる構成が好適に用い得る。また、スペーサは、その据付底面を被取付物に直接的または間接的に取り付けるものである。
【０００８】
かかる構成にあっては、ＲＦＩＤインレットを、スペーサと蓋体との間に配設するようにしたものであるから、インレット保護体によりＲＦＩＤインレットを保護する効果に優れる。そのため、比較的強い衝撃がインレット保護体に作用しても、ＲＦＩＤインレットを充分に保護することができ得る。さらに、スペーサと蓋体との間にＲＦＩＤインレットを配設していることから、該ＲＦＩＤインレットを樹脂などで被覆することを要しない。そして、蓋体がスペーサに着脱可能であることから、該蓋体がスペーサに被着していない（開放している）状態では、ＲＦＩＤインレットを配設または取り外すことが可能である。そのため、ＩＣチップやアンテナが故障または壊れた場合にも、蓋体を開放することによって、該故障などに比較的容易に対処することができ得る。すなわち、ＩＣチップやアンテナが故障したり壊れた場合には、該ＩＣチップやアンテナ（又はＲＦＩＤインレット）のみを比較的容易に交換することができ、交換に要するコストを抑制することができ得る。
【０００９】
また、本考案にあって、スペーサに被着した蓋体を、その被着状態で保持する保持手段を備えた構成とすることもできる。これにより、蓋体が容易に開放してしまうことを防ぐことができるため、被取付物に取り付けた状態で、該被取付物を移動するなどしても、被着状態を維持する効果が高い。尚、保持手段としては、例えば、被着した状態で蓋体とスペーサとを接着するシールが好適に用い得る。また、スペーサおよび蓋体の両方またはいずれか一方に、蓋体が被着した状態で係止するための係合部を設けるようにした構成も好適に用いる。
【００１０】
上述したＲＦＩＤタグにあって、インレット保持体が、その蓋体をスペーサに被着した状態で両者の間に内部空域を形成し、該内部空域内にＲＦＩＤインレットを収納保持するようにしたものである構成が提案される。
【００１１】
かかる構成にあっては、内部空域内にＲＦＩＤインレットが収納保持されることから、該ＲＦＩＤインレットが蓋体とスペーサとに挟圧されることがないため、外部からの衝撃等に対して一層壊れ難くなる。また、非金属製のインレット保護体は、この内部空域によって、被取付物とＲＦＩＤインレットとの間隔を調整する役割も有することから、被取付物が金属製のものであっても、該金属による電波干渉を抑制する効果にも優れる。また、入出力装置との交信距離を延長するために、被取付物との間に金属製電波反射部材を介在するようにした場合にあっても、該金属製電波反射部材による電波干渉を抑制する効果が高い。
【００１２】
尚、ＲＦＩＤインレットとしては、ＩＣチップとアンテナ（および、これらを担持するシート）を樹脂等で被覆した構成とすることもできる。この場合にあっても、ＲＦＩＤインレットが内部空域内に収納保護されているため、上述した従来構成に比して、樹脂を被覆した保護層が比較的薄いもので充分であり、ＲＦＩＤインレットを交換しても、該交換に要するコストを抑制する効果が高い。
【００１３】
上述したＲＦＩＤタグにあって、インレット保持体のスペーサが、上方開口する開口部を有するケース体により構成されていると共に、蓋体が、前記ケース体の開口部を開閉するものである構成が提案される。
【００１４】
かかる構成にあっては、スペーサを構成するケース体と蓋体とによって、充分な内部空域を形成することができるため、金属製の被取付物に取り付けた場合や、被取付物との間に金属製電波反射部材を介在した場合にあって、これらによる電波干渉を一層抑制することができる。また、ケース体は、内部空域を形成するための開口部を有していることから、例えば比較的厚肉の平板状のものに比して、該ケース体を構成する材料量を低減することができる。
【００１５】
上述したＲＦＩＤタグにあって、インレット保持体は、そのスペーサを構成するケース体が、据付底面を有するケース底部を備え、且つ該ケース底部上に開口部を設けてなり、蓋体が、ケース体の開口部を閉鎖した状態で内部空域を介して前記ケース底部と対向する内面に、ＲＦＩＤインレットを貼付してなるものであるとした構成が提案される。
【００１６】
かかる構成にあっては、ＲＦＩＤインレットを、被取付物から充分な間隔を置いて配設することとなるため、金属製の被取付物に取り付けた場合や、被取付物との間に金属製電波反射部材を介在した場合にあって、これらによる電波干渉を抑制する効果がさらに向上する。また、蓋体の内面にＲＦＩＤインレットを貼付していることから、故障などが生じた場合に、蓋体を開放することによって、交換などの作業を容易かつ短時間で処理することができるという利点もある。
【００１７】
ここで、蓋体としては、開口部に沿ってスライドする構成や上方へ取り外す構成などのようにケース体と分離するものや、蓋体が開き戸のように開閉するもの等を用いることができる。いずれの場合にあっても、上記したＲＦＩＤインレットの交換作業などを容易に実施できる。
【００１８】
上述したＲＦＩＤタグにあって、インレット保持体のスペーサの、蓋体により覆われる被覆面に、ＲＦＩＤインレットのＩＣチップに格納されたデータに関する情報を記載した情報ラベルが貼付されているものである構成が提案される。ここで、スペーサがケース体により構成されている場合には、該ケース体のケース底部の内面（据付底面の裏面）に情報ラベルを貼付される構成が好適に用い得る。
【００１９】
かかる構成にあっては、情報ラベルに記載した情報によって、当該ＲＦＩＤインレットに記憶されているデータ内容を知得することができるため、ＲＦＩＤインレットを故障により交換する場合に、交換したＲＦＩＤインレットに故障前のデータを格納することも可能である。このように、故障などによりＲＦＩＤインレットを交換する場合にも、故障前の状態に再現することが可能である。また、情報ラベルも、ＲＦＩＤインレットと同様に、インレット保護体内に収納保持されていることから、記載された情報が劣化し難く、該情報を確実に得ることができる。
【００２０】
尚、情報ラベルに記載した情報としては、視認により内容を知得できる可視情報が好適である。又は、バーコードや二次元コードにより情報を記載することもできる。そして、例えば、ＩＣチップに記録したデータを書き換える際には、その書き換えたデータに応じた情報を記載した情報ラベルに貼り替えたり、前の情報ラベル上に重ねて貼り付ける等することが好適である。
【考案の効果】
【００２１】
本考案のＲＦＩＤタグは、上述したように、ＩＣチップとアンテナとを備えたＲＦＩＤインレットを、スペーサと該スペーサの上部に被着する着脱可能な蓋体とからなる非金属製のインレット保護体内に配設してなるものであるから、外部から比較的強い衝撃などが作用しても、インレット保護体によりＲＦＩＤインレットを保護することができ、該ＲＦＩＤインレットの故障や損傷を防ぐ効果が高い。さらに、ＲＦＩＤインレットがインレット保護体により保護されているため、該ＩＣチップとアンテナとを樹脂などで被覆することを要しないことから、ＩＣチップやアンテナが故障などした場合には、蓋体を開放することで、これらを容易に交換することができ、交換に要するコストを充分に抑制することができる。
【００２２】
上記のＲＦＩＤタグにあって、インレット保持体が内部空域を有し、該該内部空域内にＲＦＩＤインレットを収納保持するようにした構成の場合には、ＲＦＩＤインレットを外部からの衝撃に対して保護する効果が高い。また、非金属製のインレット保護体が、ＲＦＩＤインレットと被取付物との間隔を調整する役割を有していることから、金属製の被取付物または被取付物との間に介在した金属製電波反射部材によって生ずる電波干渉を抑制する効果が高い。
【００２３】
上記のＲＦＩＤタグにあって、スペーサが、上方開口する開口部を有するケース体により構成されていると共に、蓋体が、前記ケース体の開口部を開閉する構成の場合には、充分な内部空域を有し、金属製の被取付物または被取付物との間に介在した金属製電波反射部材によって生ずる電波干渉を一層抑制することができる。また、ケース体を構成する材料量を低減できるため、製造コストを低減することもでき得る。
【００２４】
上記のＲＦＩＤタグにあって、ケース底部上の開口部を開閉する蓋体の内面に、ＲＦＩＤインレットを貼付した構成の場合には、該ＲＦＩＤインレットが、被取付物との間にケース底部および内部空域が存在するため、ケース底部の外側に在る金属による電波干渉を抑制する効果が一層向上する。また、ＲＦＩＤタグが故障などした場合には、蓋体を開放することによって、交換作業などを容易かつ短時間で行うことができる。
【００２５】
上記のＲＦＩＤタグにあって、スペーサの被覆面に、ＩＣチップに格納されたデータに関する情報を記載した情報ラベルが貼付されている構成とした場合には、情報ラベルによって、ＩＣチップのデータ内容を知得できるため、故障などにより交換した場合にも、故障前の状態に再現することが可能である。また、情報ラベルもインレット保護体内に収納保持されていることから、該情報ラベルの情報を確実に保全することができ得る。
【考案を実施するための最良の形態】
【００２６】
本考案にかかる実施例１〜３を添付図面を用いて詳述する。
【実施例１】
【００２７】
ＲＦＩＤインレット２は、図１〜３に示すように、フィルム状のシート５上に、データを書き換え可能に格納するメモリを具備したＩＣチップ３と、該ＩＣチップ３に電気的に接続されたダイポールアンテナ４とが配設されている。このＲＦＩＤインレット２は、図示しない入出力装置との間で電磁波を利用してコマンド，データ等の信号を非接触で送受信し得る非接触型の電池レスタイプとなっている。尚、シート５は、ポリプロピレンやポリエチレンテレフタレート等のプラスチック、セロファンなどからなるものが好適に用い得る。
【００２８】
ＲＦＩＤインレット２のシート５の裏面には、接着シート（図示省略）が設けられており、ＲＦＩＤインレット２を、後述するタグケース１０の蓋体１２に貼付するようになっている。
【００２９】
上記したＲＦＩＤインレット２が、タグケース１０内に収納保持され、図１〜３のように、ＲＦＩＤタグ１を構成している。タグケース１０は、上方開口する開口部１４を備えた箱状のケース体１１と、該ケース体１１の開口部１４を閉鎖するための蓋体１２とから構成されている。尚、本実施例１にあって、タグケース１０が本考案のインレット保護体であり、ケース体１１が本考案のスペーサである。
【００３０】
ここで、ケース体１１は、平板状のケース底部１５と、該ケース底部１５の四辺端縁から起立する夫々の側壁部１６とを備えてなり、各側壁部１６の上端により開口部１４の開口縁が構成されている。すなわち、ケース体１１は、ケース底部１５上に開口部１４が設けられている。さらに、ケース体１１の互いに対向する側壁部１６，１６には、その外面の上端部から外方へ突出する係止突部１９，１９が形成されている。
【００３１】
上記した蓋体１２は、ケース体１１の各側壁部１６の上端に被着して、開口部１４を閉鎖する主板部２０と、該主板部２０の四辺端縁から起立する夫々の側縁部２１とから構成されており、開口部１４を閉鎖した状態で、各側縁部２１によりケース体１１の各側壁部１６の上端部を外嵌する。そして、側壁部１６，１６に夫々形成された係止突部１９，１９と対向するように、蓋体１２の側縁部２１，２１には、内方へ突出する保持突部２２，２２が形成されている（図２参照）。この蓋体１２によりケース体１１の開口部１４を閉じる際には、蓋体１２を開口部１４上から押し付けることによって、該蓋体１２の保持突部２２，２２がケース体１１の係止突部１９，１９を乗り越えるようにする。これにより、蓋体１２が、開口部１４を閉鎖した状態で、ケース体１１に係合されて保持される。そのため、被取付物などに取り付けられた状態で、該被取付物を移動した際に、蓋体１２が開放してしまうことを防ぐようにしている。
【００３２】
このようなタグケース１０にあっては、その内部に収納したＲＦＩＤインレット２を保護する効果を高めるために、強度や剛性に優れたものであることが好ましい。例えば、ポリプロピレン樹脂やポリカーボネイト樹脂などの合成樹脂から形成されるものとすることができる。このようなタグケース１０は、総じて、外部からの衝撃に強く、内部に収納されるＲＦＩＤインレット２を保護する効果が高い。
【００３３】
蓋体１２には、その主板部２０の内面２０ａに、上記したＲＦＩＤインレット２が貼付される（図２，３参照）。これにより、蓋体１２がケース体１１の開口部１４を閉鎖した状態で、ＲＦＩＤインレット２が当該タグケース１０内に収納保持される。尚、蓋体１２の閉鎖状態で、ＲＦＩＤインレット２は、ケース体１１のケース底部１５と内部空域２５を介して対向するように配されている。
【００３４】
また、上記のタグケース１０には、そのケース体１１のケース底部１５の内面１５ｂに、情報ラベル２６が貼付される。この情報ラベル２６には、上記したＲＦＩＤインレット２のＩＣチップ３に格納したデータに関係する情報が印字されており、蓋体１２を開放した状態で、情報を可視できるようになっている。すなわち、ＲＦＩＤインレット２が故障した場合に、情報ラベル２６に印字された可視情報によって、ＲＦＩＤインレット２に記憶されていたデータを比較的容易に確認することができ、交換等を行った後に、故障前に書き込まれていたデータを再現することが可能である。この情報ラベル２６は、ＲＦＩＤインレット２のＩＣチップ３にデータを書き換えるたびに、書き換えたデータに関する可視情報を印字した情報ラベル２６と貼り替えることにより、常にＩＣチップ３内のデータに関係した情報を得ることができるようにしている。この情報ラベル２６は、タグケース１０内に収納されているため、蓋体１２を開放しなければ視認することができない。そのため、例えば、情報ラベル２６の可視情報として、ＩＣチップ３内に格納したデータと同じ情報を印字していても、秘匿性を保つこともできる。さらに、情報ラベル２６の印字の劣化を防ぐこともでき得る。尚、ケース体１１のケース底部１５の内面１５ｂが、本考案にかかる被覆面を構成している。
【００３５】
上述したＲＦＩＤタグ１にあっては、タグケース１０のケース底部１５の据付底面１５ａに、シート状の金属製電波反射部材３３を貼り付けて、図３のように、コンテナなどの被取付物３０に取り付けられる。すなわち、ケース底部１５と被取付物３０との間に、金属製電波反射部材３３を介在させており、該ケース底部１５の据付底面１５ａが間接的に被取付物３０に取り付けられる。この金属製電波反射部材３３は、ステンレス、アルミニウム合金、真鍮などの金属からなるシート状のものであり、図示しない入出力装置からの電波を反射でき、該入出力装置との交信距離を延長することができる。
【００３６】
そして、このＲＦＩＤタグ１は、そのＲＦＩＤインレット２と金属製電波反射部材３３との間に、ケース底部１５および内部空域２５が介在していることから、該被取付物３０による電波干渉を抑制する効果が高い。尚、タグケース１０の側壁部１６の高さを適宜設定し、内部空域２５の高さを設定することにより、前記電波干渉を抑制する効果を適切に発生させることも可能である。
【００３７】
このようなＲＦＩＤタグ１は、タグケース１０内にＲＦＩＤインレット２を収納保持したものであることから、コンテナなどの被取付物に取り付けた状態で、衝撃等の負荷が作用しても、ＲＦＩＤインレット２が損傷することを防ぐ効果が高い。また、ＲＦＩＤインレット２が壊れたり故障した場合には、蓋体１２をケース体１１から外すことにより、蓋体１２の内面に貼り付けているＲＦＩＤインレット２を露出することができ、交換などの作業を容易に行うことができる。すなわち、蓋体１２を、その保持突部２２，２２がケース体１１の係止突部１９，１９を乗り越えるようにして取り外す。そして、蓋体１２の内面に貼り付けているＲＦＩＤインレット２を取り外し、新しいＲＦＩＤインレット２を貼り付ける。その後、蓋体１２をケース体１１の開口部１４を閉鎖するように取り付ける。
【００３８】
ここで、本実施例１にあっては、ＲＦＩＤインレット２が、上記したように、シート５上にＩＣチップ３とダイポールアンテナ４とを配設した構成であり、その表面を被覆した保護層などを形成していない。これは、ＲＦＩＤインレット２が、タグケース１０内で保護されるためである。これにより、上記のようにＲＦＩＤインレット２を交換する場合にも、当該ＲＦＩＤインレット２のみを交換すればよく、タグケース１０（蓋体１２およびケース体１１）を取り替える必要がないため、交換に要するコストを大幅に削減することができる。さらに、ＲＦＩＤインレット２を取り替える際には、ケース体１１を被取付物３０に取り付けたままで蓋体１２を取り外して行うことができるため、この交換作業に要する時間も短縮することができ得る。
【００３９】
また、上記のように、故障したＲＦＩＤインレット２を取り替える際には、上記したようにケース体１１に貼付している情報ラベル２６によって、故障前にＲＦＩＤインレット２に記憶していたデータを確認することもできるため、同様のデータを新たなＲＦＩＤインレット２のＩＣチップ３に格納することができる。また、情報ラベル２６にあっては、ＲＦＩＤインレット２に記憶したデータの内容を書き換えた（更新した）場合に、新たなデータに関する可視情報を印字したものに取り替える。これにより、常に、情報ラベル２６により得られる可視情報が、ＲＦＩＤインレット２のデータと関係するものとなる。
【００４０】
尚、外部からの衝撃等により、タグケース１０のみが損傷した場合には、該タグケース１０のみを交換することもできる。この場合にも、上記と同様に、交換に要するコストを低減することができ得る。
【００４１】
また、本実施例１のＲＦＩＤタグ１は、上述したように、タグケース１０内にＲＦＩＤインレット２を収納保持するようにしたものであり、該タグケース１０が内部空域２５を有している。そのため、例えば、タグケース１０と同様の外寸法のスペーサに比して、該タグケース１０に要する材料量を低減しつつ、被取付物３０との間に介在した金属製電波反射部材３３との間隔を調整することができ、電波干渉を抑制する効果が高い。
【実施例２】
【００４２】
実施例２のＲＦＩＤタグ４０にあっては、図４，５のように、タグケース４１が、蓋体４３をスライドすることにより、ケース体４２の開口部４４を開閉するようにした構成である。本構成では、ケース体４２が、ケース底部４５および側壁部４６ａ，４６ｂ，４６ｂ，４６ｃから構成されており、互いに対向する二つの側壁部４６ｂ，４６ｂおよびその間の一の側壁部４６ｃの夫々上部に、該側壁部４６の上端に沿って案内溝４７，４７，４８が設けられている。残りの側壁部４６ａは、前記案内溝４７より低い高さまでのものとなっており、該側壁部４６ａ上が内外に開口する挿通口部４９として形成されている。
【００４３】
ケース体４２は、上述した実施例１と同様に、ケース底部４５の内面４５ｂに情報ラベル２６が貼付される。ケース体４２のケース底部４５の据付底面４５ａが、金属製電波反射部材３３を介して被取付物３０に取り付けられる。
【００４４】
また、蓋体４３は、開口部４４を閉鎖する主板部５１と該主板部５１の一辺縁から起立する側縁部５２とから構成されている。この蓋体４３を、ケース体４２の挿通口部４９から案内溝４７，４７内に嵌入してスライドすることによって、該ケース体４２の開口部４４を開閉することができる。そして、蓋体４３が開口部４４を閉鎖した状態では、該蓋体４３の側縁部５２が、ケース体４２の挿通口部４９を閉鎖し、ケース体４２と蓋体４３とにより内部空域５５が形成されている。このように蓋体４３により閉鎖した状態で、蓋体４３の側縁部５２とケース体４２の側壁部４６ａとを所定のシール（図示せず）により貼り付けることにより、この閉鎖状態を保持するようにしている。
【００４５】
本実施例２の構成にあっても、蓋体４３の主板部５１の内面５１ａに、上記したＲＦＩＤインレット２を貼付する。これにより、ＲＦＩＤインレット２をタグケース４１内に収納保持して保護することができる。また、ＲＦＩＤインレット２を交換する際には、シールを取り除いて、蓋体４３をスライドしてケース体４２から分離することによって、交換作業を容易に実施できる。このように、実施例２の構成にあっても、上述した実施例１と同様の作用効果を発揮することができ得る。
【００４６】
尚、本実施例２の構成は、蓋体４３をスライドして開閉する、所謂引戸とするようにした構成以外は、上記した実施例１と同じ構成であり、同じ構成要素には同じ符号を記し、その説明を省略する。
【実施例３】
【００４７】
実施例３のＲＦＩＤタグ６０としては、図６のように、板状のスペーサ６２と、該スペーサ６２に被着する蓋体６３とからなるインレット保護体６１を備えた構成である。そして、蓋体６３によって、スペーサ６２の上面を構成する被覆面６２ｂを被覆する。ここで、スペーサ６２は、プラスチック段ボールからなる矩形状板である。蓋体６３は、主板部６６と該主板部６６の四辺端縁から起立する夫々の側縁部６７とから構成されており、各側縁部６７の下部に、スペーサ６２の被覆面６２ｂの上端縁に当接する段部６８が夫々に形成されている。この蓋体６３を、スペーサ６２に被着する際に、各側縁部６７の段部６８が該スペーサ６２の上端縁に当接し、蓋体６３とスペーサ６２との間に内部空域６５を形成する。本実施例にあっては、ＲＦＩＤインレット２が、蓋体６３の主板部６６の内面６６ａに貼付される。また、情報ラベル２６がスペーサ６２の被覆面６２ｂに貼付される。尚、本実施例にあっても、上述したように、蓋体６３がスペーサ６２に被着した状態で、両者を所定のシール（図示せず）により貼り付けることにより、この被着した状態を保持するようにしても良い。
【００４８】
本実施例３にあって、スペーサ６２の被覆面６２ｂと対向する取付底面６２ａが、金属製電波反射部材３３を介して被取付物３０に取り付けられる。
【００４９】
本実施例３にあっても、ＲＦＩＤインレット２を、スペーサ６２と蓋体６３との間に形成された内部空域６５内で保護することができる。そして、蓋体６３を開放することによって、ＲＦＩＤインレット２を容易に交換することができる。このように、実施例３の構成にあっても、上述した実施例１と同様の作用効果を発揮することができ得る。
【００５０】
尚、本実施例３の構成は、板状のスペーサ６２を用いた以外は、上記した実施例１と同じ構成であり、同じ構成要素には同じ符号を記し、その説明を省略する。
【００５１】
さらに、上述した実施例１〜３の他の構成として、蓋体の一側縁をケース体（スペーサ）の一側壁部の上端に枢支し、該蓋体を所謂開き戸として構成するものとして良い。
【００５２】
また、上述した実施例１〜３にあって、ＲＦＩＤインレットを、その表面を樹脂等でコーティングすることにより被覆して保護層を設ける構成とすることもできる。これにより、ＲＦＩＤインレットを保護する効果が一層向上する。尚、ＲＦＩＤインレットは、上記のようにタグケース（インレット保護体）により保護されていることから、この保護層は薄厚のもので良く、強度や剛性を必要としていない。そのため、当該ＲＦＩＤインレットを交換しても、交換に要するコストを抑制することができ得る。
【００５３】
また、上述した実施例３にあっては、スペーサをプラスチック段ボールにより形成したものであるが、その他の構成として、ハニカム構造の板材により形成することもできる。この場合でも、上述した実施例３と同様の強度、剛性、軽量化を有するスペーサとなる。
【００５４】
また、上述した実施例にあっては、ケース体のケース底部の据付底面に金属製電波反射部材を配設するようにしているが、該金属製電波反射部材をケース底部の内面（スペーサの上面）に配設することもできる。上述した実施例では、内部空域を有していることから、金属製電波反射部材とＲＦＩＤインレットとの間に内部空域が存在し、該金属製電波反射部材による電波干渉を抑制することができる。尚、この内部空域の高さを調整することにより、前記電波干渉の抑制効果が適切に発揮し得る。
【００５５】
また、上述した実施例にあっては、タグケース（インレット保護体）を方形状とした構成であるが、例えば、円筒形状とすることも可能である。さらに、蓋体とケース体（インレット保護体）とを螺合するようにした構成とすることもできる。
【００５６】
上述した実施例にあっては、ＲＦＩＤタグにダイポールアンテナを配設した構成であるが、その他に、ループアンテナなどを配設した構成とすることもでき得る。また、情報ラベルとしては、可視情報を印字した構成の他に、バーコードや二次元コードを印字した構成とすることもできる。
【００５７】
本考案は、上述した実施例に限定されるものではなく、本考案の要旨の範囲内で適宜用いることができる。
【図面の簡単な説明】
【００５８】
【図１】実施例１のＲＦＩＤタグ１の分解斜視図である。
【図２】同上のＲＦＩＤタグ１の、（Ａ）蓋体１２を開放した状態と、（Ｂ）蓋体１２によりケース体１１の開口部１４を閉鎖した状態を示す縦断面図である。
【図３】同上のＲＦＩＤタグ１を、被取付物３０に取り付けた状態を示す断面図である。
【図４】実施例２のＲＦＩＤタグ４０の分解斜視図である。
【図５】実施例２のＲＦＩＤタグ４０の縦断面図である。
【図６】実施例３のＲＦＩＤタグ６０の縦断面図である。
【符号の説明】
【００５９】
１  ＲＦＩＤタグ
２  ＲＦＩＤインレット
３  ＩＣチップ
４  ダイポールアンテナ（アンテナ）
１０  タグケース（インレット保護体）
１１  ケース体（スペーサ）
１２  蓋体
１４  開口部
１５  ケース底部
１５ａ  据付底面
２５  内部空域
２６  情報ラベル
３０  被取付物
【図１】
0003141971.tif 000003
【図２】
0003141971.tif 000004
【図３】
0003141971.tif 000005
【図４】
0003141971.tif 000006
【図５】
0003141971.tif 000007
【図６】
0003141971.tif 000008